(57)【特許請求の範囲】
【請求項１】
移動端末にクラスが付与された移動通信システムにおけるハンドオフ制御方式において，
移動端末は通信中の基地局に対して端末クラスを含む品質報告信号を送信する手段を備え，
前記基地局は端末クラス別のハンドオフの可否が設定された端末クラス別ハンドオフ処理テーブルとハンドオフ制御部を備え，
前記ハンドオフ制御部は，移動端末からの前記品質報告信号からハンドオフが必要であることを検出すると，当該移動端末の端末クラスを用いて前記端末クラス別ハンドオフ処理テーブルを参照してハンドオフの許容／非許容を判別し，ハンドオフ許容の場合は交換局にハンドオフ要求信号を送信してハンドオフが実行されることを特徴とする移動通信システムにおけるハンドオフ制御方式。
【請求項２】
請求項１において，
前記基地局のハンドオフ制御部は，交換局から輻輳状態を表す制御信号を受け取ると前記端末クラスによるハンドオフの許容／非許容の制御を開始し，輻輳状態解除を検出すると前記端末クラス別のハンドオフの制御を停止することを特徴とする移動通信システムにおけるハンドオフ制御方式。
【請求項３】
請求項１において，
前記基地局に時間帯に対応してハンドオフ制御を許容する端末クラスが設定された時間別端末クラスハンドオフ処理テーブルを備え，
前記ハンドオフ制御部は，移動端末からの前記品質報告信号からハンドオフが必要であることを検出すると，現在時間を識別して前記時間別端末クラスハンドオフ処理テーブルを参照して，前記端末クラスによるハンドオフの許容／非許容を判別することを特徴とする移動通信システムにおけるハンドオフ制御方式。
【請求項４】
請求項１において，
前記基地局は，ハンドオフ先のエリア別にハンドオフが許容される端末クラスを格納したエリア別端末クラスハンドオフ処理テーブルを備え，
前記基地局のハンドオフ制御部は，通信中の移動端末がクラスを含む品質報告信号を発生すると，前記移動端末のハンドオフ先のエリアが前記エリア別端末クラスハンドオフ処理テーブルに設定されたハンドオフを許容するクラスの条件を満たすか判別し，条件を満たすと交換局に対しハンドオフを要求する信号を送信することを特徴とする移動通信システムにおけるハンドオフ制御方式。
【請求項５】
移動端末にクラスが付与された移動通信システムにおけるハンドオフ制御方式において，
移動端末は通信中の基地局に対して端末クラスを含む品質報告信号を送信し，
前記基地局は前記品質報告信号からハンドオフが必要な状況と判断されると交換局に対し前記端末クラスを含むハンドオフ要求信号を送出し，
前記交換局は前記要求を受け取るとハンドオフ先の基地局に対し前記端末クラスを含むハンドオフ依頼信号を送信し，
前記ハンドオフ先となる基地局は，端末クラス別のハンドオフの可否が設定されたテーブルと前記ハンドオフ依頼信号の受信により起動されるハンドオフ制御部を備え，
前記ハンドオフ制御部は，交換局から受信した端末クラスを用いて前記端末クラス別ハンドオフ処理テーブルを参照してハンドオフの許容／非許容を判別してハンドオフの制御を行うことを特徴とする移動通信システムにおけるハンドオフ制御方式。
【請求項６】
請求項５において，
前記ハンドオフ先となる基地局は，時間帯に対応してハンドオフを許容する端末クラスが設定された時間別端末クラスハンドオフ処理テーブルを備え，
前記ハンドオフ制御部は，交換局からのハンドオフ依頼信号を受けとると現在時間を識別し，前記ハンドオフ依頼信号に含まれた端末クラスを用いて前記時間別端末クラスハンドオフ処理テーブルを参照してハンドオフの許容／非許容を判別してハンドオフの制御を行うことを特徴とする移動通信システムにおけるハンドオフ制御方式。
【発明の詳細な説明】
【０００１】
【発明の属する技術分野】
本発明は移動端末にクラスが付与された移動通信システムにおけるハンドオフ制御方式に関する。
【０００２】
移動通信システムにおいて，位置登録や発信が移動端末が位置するエリアにより規制される場合があるが，ハンドオフについては規制されることなく要求があると基地局や交換局は要求された制御を実行していた。
【０００３】
【従来の技術】
従来の移動通信システムでは，交換局を介してあるエリアの基地局から規制情報がそのエリアに在圏する各移動端末に対して報知される。その場合，基地局装置からは，加入者クラスと規制情報が報知され，規制情報としては位置登録規制（そのエリアでは位置登録を禁止する）や，発信規制（そのエリアでその移動端末が発信することが禁止される）がある。
【０００４】
しかし，このような規制情報は他のエリアに位置していた移動端末が規制を行うエリアに移動してきた時に初めて報知された情報を受信することにより知ることができる。
【０００５】
また，従来の移動通信システムでは，基地局装置は移動端末の移動による通信状態の悪化時に，交換局に対してハンドオフ要求を行う。すなわち，ハンドオフ要求は，移動端末が移動して現在通信を行っているハンドオフ元の基地局装置との通信チャネルの通信状態が悪化した時に移動先のエリアの基地局装置（ハンドオフ先の基地局装置）との通信チャネルに切替えることを要求することであるが，ハンドオフ元の基地局装置では，ハンドオフ要求の条件を満たすと端末クラスに関係なく交換局に対してハンドオフ要求を実施していた。
【０００６】
【発明が解決しようとする課題】
上記したように，従来の移動通信システムでは，ハンドオフ要求に対して規制されることはなかった。そのため，ハンドオフを実行しても，ハンドオフ先の基地局装置のエリアが発信規制や位置登録規制されている場合や，ハンドオフ先の基地局装置が輻輳状態であってもハンドオフの要求が受け付けられており，実質的にハンドオフ先で通信ができない場合がある。
【０００７】
本発明は移動端末にクラスが付与された移動通信システムにおいて通信中の移動端末のハンドオフの許容／非許容の制御を簡単に実現することができるハンドオフ制御方式を提供することを目的とする。また，通信中の移動端末のハンドオフのエリアや時間帯による制御を可能にするハンドオフ制御方式を提供することを目的とする。更に，輻輳状態時のハンドオフ制御を可能とするハンドオフ制御方式を提供することを目的とする。
【０００８】
【課題を解決するための手段】
図１は本発明の原理構成を示す図である。図１において，１は移動端末，１０は通話品質・端末クラス報知手段，２ａ，２ｂは基地局装置（２ａはハンドオフ元，２ｂはハンドオフ先の基地局装置とする），２０は端末クラス別ハンドオフ制御部，２１はハンドオフ許否判別手段，２２は交換局通知手段，２３は端末クラス別ハンドオフ処理テーブル，３は交換局，３０は制御部である。
【０００９】
本発明は基地局装置２ａの端末クラス別ハンドオフ処理テーブル２３に移動端末のクラス別にハンドオフが可能か否かを表す情報を予め設定しておき，端末クラス別ハンドオフ制御部２０が駆動されている状態で，基地局装置２ａの通話チャネルで通話していた移動端末１から通話品質が劣化した状態で通話品質・端末クラス報知手段１０によりこの通話端末１の端末クラスを含む通話品質信号が基地局装置２ａに送られ，これを受けた基地局装置２ａは端末クラス別ハンドオフ制御部２０のハンドオフ許否判別手段２１の動作により，通話品質信号を識別してハンドオフの必要がある場合，受け取った端末クラスが端末クラス別ハンドオフ処理テーブル２３においてハンドオフが可能なクラスであるか判別する。ハンドオフが可能なクラスである場合，交換局３に対しハンドオフ要求（基地局装置２ｂへのハンドオフ）を行い，交換局３からの制御により基地局装置２ｂへのハンドオフの制御が行われる。移動端末１の端末クラスがハンドオフが可能でないクラスである場合は，交換局３に対しハンドオフ要求を行わない。
【００１０】
この基地局装置における端末クラス別ハンドオフ制御部２０を駆動しない場合，ハンドオフをクラス別に制御することなくハンドオフの制御が実行される。また，端末クラス別ハンドオフ制御部２０を駆動させるために，交換局３が輻輳状態の場合に駆動させるように制御することができる。また，設定された時間帯だけ駆動させるよう制御することができる。更に，ハンドオフ先のエリア別に端末クラス別ハンドオフ制御を行うようにすることができる。
【００１１】
また，ハンドオフ元の基地局装置２ａにおいて制御するのではなく交換局３の制御部３０において端末クラス別ハンドオフ制御を実行するようにしてもよい。更にハンドオフ先の基地局装置において端末クラス別ハンドオフ制御を実行するように構成することができ，詳細は後述する各実施例の構成により説明する。
【００１２】
【発明の実施の形態】
図２は本発明が実施されるシステムの構成例であり，図３は図２においてハンドオフが実行された場合の構成を示す。図２，図３において，１Ａ，１Ｂは移動端末，２Ａ，２ＢはそれぞれエリアＡ，Ｂに設けられた基地局装置（基地局と表示する），３は各基地局２Ａ，２Ｂと有線で接続された交換局である。移動端末１Ａ，１Ｂは上記図１と移動端末１と同様の手段を備え，基地局２Ａ，２Ｂは上記図１の移動端末２Ａ，２Ｂと同様の手段を備えている。最初に，移動端末１Ａ，１Ｂは共に基地局２ＡのエリアＡに在圏してそれぞれ端末クラスがクラス１，クラス２に設定されており，何れも通話をしながら，移動して隣接するエリアＢの範囲に入ったものとする。その場合に，本発明によるハンドオフ制御が実行されるが，以下に説明する各実施例に示す複数の制御方式がある。
【００１３】
図４は実施例１によるハンドオフの制御シーケンスである。
【００１４】
図４のシーケンスは上記図２のシステム構成において実行され，移動端末１Ａ，１Ｂが基地局２Ａを介して通信中である時，基地局２Ａは端末クラス別ハンドオフ制御を実行しているものとする。この例では，端末クラス別ハンドオフ処理テーブル（図１の２３）には端末クラスがクラス１の場合ハンドオフが許容され，端末クラスがクラス２の場合ハンドオフが非許容に設定されている。ここで，移動端末１Ａが品質報告信号として品質情報と端末クラスを基地局２Ａに送信する（図４のａ）。この品質情報は，基地局２Ａや２Ｂから送信した信号を移動端末１Ａで受信したレベルに対応する数値である。ここで，基地局２Ａより２Ｂからの信号レベルの方が高いことが分かり，ハンドオフが必要であることが分かる。この時，移動端末１Ａのクラス１を確認して，ハンドオフが許容されるクラスであることを識別し，基地局２Ａから交換局３に対しハンドオフ要求信号（移動端末１Ａのハンドオフ先として基地局２Ｂの情報と端末クラス１を含む）が送られる（図４のｂ）。交換局３はこれを受け取ると，ハンドオフ先の基地局２Ｂを識別し，その基地局２Ｂに対しハンドオフ依頼信号（ハンドオフ先情報と端末クラス１を含む）を送信する（図４のｃ）。基地局２Ｂはこれを受け取ると，ハンドオフ依頼確認信号（ハンドオフにより基地局２Ｂで移動端末１Ａに対し割当てる予定のチャネル情報）を送信する（図４のｄ）。
【００１５】
交換局３は基地局２Ｂからのハンドオフ依頼確認信号を受け取ると，ハンドオフ元の基地局２Ａに対しハンドオフ指示信号（割当てチャネル情報を含む）を送る（図４のｅ）。基地局２Ａはこれを受け取ると移動端末１Ａに対しハンドオフ指示信号（割当てチャネル情報を含む）を送る（図４のｆ）。この後，切替え先チャネル確認処理が行われて（図４のｇ），基地局２Ｂはハンドオフ完了信号を交換局３へ送る（同ｈ）。この後，移動端末１Ａはハンドオフ先の基地局２Ｂを介して交換局３と接続されて通話中の状態となる（図４のｉ）。この後，交換局３はハンドオフ元の基地局２Ａに対し解放信号を送り（図４のｊ），基地局２Ａから交換局３に対し解放確認信号を送信する（同ｋ）。
【００１６】
また，移動端末１Ｂから品質報告信号（品質情報と端末クラス２を含む）を基地局２Ａに送ると，基地局２Ａでハンドオフが必要と判断するが，端末クラスが２であるため，上記端末クラス別ハンドオフ処理テーブルによりハンドオフが非許容であるとして，ハンドオフの処理を行わない（図４のｌ）。
【００１７】
図３は上記図２の状態から移動端末１Ａに対してハンドオフを実行した状態を表す。図３の場合，移動端末１Ａはハンドオフが許容されて実行されるが，移動端末１Ｂはハンドオフが許容されず通話が維持できない状態になることを示す。
【００１８】
図５は実施例１の基地局における処理フローである。この処理フローは上記図２，図４に示す基地局２Ａにおいて実行される。最初に移動端末から図３について説明した品質報告信号を受信すると（図５のＳ１），ハンドオフ条件に一致するか判別する（同Ｓ２）。この時，現在の通話チャネルの通話品質（特に受信レベル）が劣化して他の基地局の信号レベルの方が優れているかの判別をする。ハンドオフ条件に一致しないとＳ１に戻り，一致すると端末クラス別ハンドオフ制御実施中か判別する（同Ｓ３）。この判別は，当該基地局は，端末クラス別ハンドオフ制御を実施するか否かを設定可能な構成を備えており，現在の状態が何れであるかを判別する。この端末クラス別ハンドオフ制御が実施中でないと，交換局に対しハンドオフ要求信号を送出する（同Ｓ６）。端末クラス別ハンドオフ制御を実施中の場合は，端末クラス別ハンドオフ処理テーブル（図１の２３）を使用して，この移動端末のクラスによるハンドオフ許容／非許容を確認して（図５のＳ４），ハンドオフ許容端末クラスであるか判別し（同Ｓ５），許容されると，交換局へハンドオフ要求信号を送出し（同Ｓ６），許容されないとハンドオフは実行されず上記Ｓ１に戻る。
【００１９】
図６，図７は実施例２によるハンドオフの制御シーケンス（その１），（その２）である。図６，図７は上記図２と同じ構成において，移動端末１Ａ，１Ｂが基地局２Ａを介して通信中であるものとする。なお，移動端末１Ａ，１Ｂは上記実施例１（図４，図５）と同様に端末クラスはそれぞれ１，２とする。また，端末クラス別ハンドオフ処理テーブル２３には端末クラスに対応したハンドオフ処理の許容／非許容が設定されている。
【００２０】
この状態で，交換局３から交換局輻輳通知信号が通知され（図６のａ），基地局２Ａがこれを受信すると（同ｂ），端末クラス別ハンドオフ制御を開始する（同ｃ）。この後，移動端末１Ａから品質報告信号（品質情報，端末クラス１）を受け取ると（図６のｄ），品質情報を判断してハンドオフを行う必要があることが分かると，端末クラス別ハンドオフ処理テーブルを参照して，クラス１であるためハンドオフ処理が許容されるため，基地局２Ａはハンドオフ要求信号を交換局３へ送信する（同ｅ）。この後，交換局からハンドオフ依頼信号が基地局２Ｂに送られ，基地局２Ｂからハンドオフ依頼確認信号が交換局３へ送られ，交換局３からハンドオフ指示信号が基地局２Ａに送られ（図６のｆ〜ｈ），ハンドオフが実行されて基地局２Ａと交換局３との間で解放のための信号が送受信される。この後，移動端末１Ｂ（端末クラス２）の品質報告信号が基地局２Ａに送られてきても（図６のｏ），端末クラス別ハンドオフ制御を実行中であるため，端末クラス別ハンドオフ処理テーブル２３を用いて判別すると，クラス２はハンドオフが非許容であるためハンドオフは実行されない。この時の移動端末１Ａがハンドオフが実行され，移動端末１Ｂがハンドオフが実行されない状態は，上記図３に示されている。
【００２１】
図７の場合，最初は上記図６と同様に交換局輻輳中（図７のｂ）であるため，端末クラス別ハンドオフ制御が実行中である。この時移動端末１Ｂが基地局２Ａを介した通信中に，品質報告信号を送信してきても（図７のｃ），端末クラスが２であるため，ハンドオフが必要であっても許容されない。しかし，交換局の輻輳状態が解除されると（図７のｄ），端末クラス別ハンドオフ制御が終了し（同ｅ），どの端末クラスに対してもハンドオフ処理を実行するモードになる。この後，移動端末１Ｂから品質報告信号が送られてくると（図７のｆ），ハンドオフが必要な場合には，ハンドオフ要求信号が交換局３へ送信され（同ｇ），ハンドオフ処理が実行される（同ｈ〜ｏ）。
【００２２】
図８は実施例２の基地局における処理フローである。この処理フローは上記図６及び図７に示す基地局２Ａにおいて実行される。この図８におけるＳ１〜Ｓ６の各処理は上記図５（実施例１）と同様である。但し，端末クラス別ハンドオフ制御実施中であるかは，図８の右側に示す処理により制御される。すなわち，交換局から輻輳通知信号を受信したか判別し（図８のＳ３０），受信した場合は，端末クラス別ハンドオフ制御開始を行う（同Ｓ３１）。この時，端末クラス別ハンドオフ制御フラグ（図示省略されている）をオンにする。輻輳通知信号を受信しない場合は，交換局輻輳状態解除条件と一致しないか判別し（図８のＳ３２），一致（すなわち，輻輳状態解除検出）した場合は，端末クラス別ハンドオフ制御停止にする（同Ｓ３３）。すなわち，前記端末クラス別ハンドオフ制御フラグをオフにする。
【００２３】
この図８のＳ３０〜３３のフローは一定周期毎に基地局において実行され，端末クラス別ハンドオフ制御（フラグ）がオンかオフかを図８のステップＳ３において判別する。
【００２４】
図９，図１０は実施例３によるハンドオフの制御シーケンス（その１），（その２）である。図９，図１０は上記図２と同じ構成において，移動端末１Ａ，１Ｂが基地局２Ａを介して通信中であるものとする。なお，移動端末１Ａ，１Ｂは上記図２や実施例１，実施例２（図４及び図６，図７）と同様に端末クラスはそれぞれ１，２とする。この実施例３では，端末クラス別ハンドオフ制御は，時間によりハンドオフ制御を許容する端末クラスが設定された時間別端末クラスハンドオフ処理テーブル２４を用いて行う。
【００２５】
図９の基地局２Ａに関して示す時間別端末クラスハンドオフ処理テーブル２４に記載されている例では，時間７：００〜２２：００ではクラス１の移動端末が許容され，時間２２：００〜７：００ではクラス１／クラス２の何れもハンドオフが許容される。
【００２６】
図９，図１０について実施例３の特徴となる制御シーケンスを説明すると，基地局２Ａにおいて端末クラス別ハンドオフ制御が実行されている時，時間が７：００になり（図９のｂ），その後移動端末１Ａから品質報告信号（品質情報と端末クラス＝１の情報）が送信されると（同ｃ），品質情報からハンドオフが必要であることが分かり，時間別端末クラスハンドオフ処理テーブル２４を参照する。この場合，現在時間が７：００〜２２：００の範囲内であり，移動端末１Ａは端末クラスが１であるからハンドオフが許容されて，ハンドオフ要求信号が交換局３へ送信される。この後は，上記実施例１，実施例２と同様に交換局３と基地局２Ｂ及び２Ａとの間の制御信号の送受信及び基地局２Ａと移動端末１Ａとの制御信号のやりとりが行われ，移動端末１Ａが基地局２Ａから基地局２Ｂの通話チャネルへのハンドオフが実行される。
【００２７】
図１０の場合，時間が２１：００になって（図１０のａ），通話中の移動端末１Ｂから品質報告信号（品質情報と端末クラス＝２を含む）が発生すると（同ｂ），ハンドオフの条件（品質情報による）が成立していると，時間別端末クラスハンドオフ処理テーブル２４を参照するが，この時間帯ではクラス１しかハンドオフが許容されないので，移動端末１Ｂのハンドオフは実行されない。その後，時間が２２：００となって（図１０のｃ），品質報告信号が移動端末１Ｂから発生すると（同ｄ），ハンドオフの条件が成立し，更に時間別端末クラスハンドオフ処理テーブル２４を参照する。この時の時間帯は２２：００〜７：００であるため，端末クラス１，２の何れもハンドオフが許容されるため，ハンドオフ要求信号が交換局３へ送信される。この後は，説明を省略するが移動端末１Ｂに対し，基地局２Ａから基地局２Ｂへのハンドオフが実行される。
【００２８】
図１１は実施例３の基地局における処理フローである。この処理フローは上記図９及び図１０に示す基地局２Ａ，２Ｂにおいて実行される。最初に，移動端末から品質報告信号を受信し（図１１のＳ１），ハンドオフ条件に一致するか判別し（同Ｓ２），一致すると端末クラス別ハンドオフ制御実施中か判別する（同Ｓ３）。実施中でない場合はＳ７に移行してハンドオフ要求信号を送出するが（図１１のＳ７），実施中である場合は時間情報を入手し（同Ｓ４），時間別端末クラスハンドオフ処理テーブル２４を使用して，現在の時間帯に対応した端末クラスのハンドオフ許容／非許容を確認する（同Ｓ５）。この確認の結果として，品質報告信号を受信した移動端末がハンドオフ許容端末クラスか否かを判別し（図１１のＳ６），許容クラスである場合はハンドオフ要求信号を送出する（同Ｓ７）。
【００２９】
図１２，図１３は実施例４によるハンドオフの制御シーケンス（その１），（その２）である。図１２，図１３は上記図２と同じ構成において，移動端末１Ａ，１Ｂが基地局２Ａを介して通信中であるものとする。なお，移動端末１Ａ，１Ｂは上記図２や実施例１〜実施例３（図４，図６，図７，図９，図１０）と同様に端末クラスはそれぞれ１，２とする。この実施例４では，ハンドオフ先のエリア別にハンドオフが許容される端末クラスが設定された，エリア別端末クラスハンドオフ処理テーブル２５が用いられる。
【００３０】
図１２の基地局２Ａに関して示すエリア別端末クラスハンドオフ処理テーブル２５に記載されている例では，基地局２Ａのエリアに対しては，移動端末がクラス１，クラス２の何れであってもハンドオフが許容され，基地局２Ｂのエリアに対しては移動端末がクラス１のみハンドオフが許容される。
【００３１】
図１２，図１３について実施例４の特徴となる制御シーケンスを説明すると，基地局２Ａにおいて端末クラス別ハンドオフ制御が実行されている時（図１２のａ），移動端末１Ａから品質報告信号（品質情報と端末クラス＝１の情報）が送信されると（同ｂ），品質情報からハンドオフが必要であり，ハンドオフ先の候補が基地局２Ｂであることが分かると，エリア別端末クラスハンドオフ処理テーブル２５を参照する。この結果，基地局２Ｂのエリアに対するハンドオフは端末クラス１のみであるため，当該移動端末１Ａはこの条件を満たすため，ハンドオフ要求信号を交換局３へ送信する（図１２のｄ）。この後は，交換局３と基地局２Ｂ，基地局２Ａとの制御信号の送受信によりハンドオフが実行される。
【００３２】
また，図１３の場合，端末クラス別ハンドオフ制御が実行されている時（図１３のａ），移動端末１Ｂから品質報告信号（品質情報と端末クラス＝２）が基地局２Ａに送られてくると（同ｂ），ハンドオフが必要であり，ハンドオフ先候補が基地局２Ｂのエリアであることが分かる（同ｃ）。この時，エリア別端末クラスハンドオフ処理テーブル２５を参照すると，端末クラス２はハンドオフ非許容となる（図１３のｄ）。この動作は繰り返し行われても同様である（図１３のｅ，ｆ）。
【００３３】
図１４は実施例４の基地局における処理フローである。この処理フローは上記図１２及び図１３に示す基地局２Ａ，２Ｂにおいて実行される。最初に，移動端末から品質報告信号を受信し（図１４のＳ１），ハンドオフ条件に一致するか判別し（同Ｓ２），一致すると端末クラス別ハンドオフ制御実施中か判別する（同Ｓ３）。実施中でない場合はＳ６に移行し，実施中の場合はハンドオフ先エリア情報を品質報告信号から入手し（図１４のＳ４），エリア別端末クラスハンドオフ処理テーブル２５を使用してハンドオフ許容／非許容を確認し（同Ｓ５），ハンドオフが許容されるエリアがあるか判別する（同Ｓ６）。ハンドオフ許容エリアがある場合は，ハンドオフ許容エリアの情報のみ含むハンドオフ要求信号を送出し（図１４のＳ７），ハンドオフ許容エリアがない場合はＳ１に戻る。
【００３４】
図１５は実施例５によるハンドオフの制御シーケンスである。図１５は上記図２と同じ構成において，移動端末１Ａ，１Ｂが基地局２Ａを介して通信中であるものとする。なお，移動端末１Ａ，１Ｂは上記図２や各実施例１〜実施例４（図４，図６，図７，図９，図１０，図１３，図１４）と同様に端末クラスはそれぞれ１，２とする。この実施例５では，端末クラス別ハンドオフ制御を基地局２Ａ，２Ｂの上位の交換局３において実行する点に特徴を備え，そのために上記実施例１（図４）において基地局に設けられた端末クラス別ハンドオフ処理テーブル３１を交換局３内に備えており，この例では端末クラスが１の場合，ハンドオフ処理が許容され，端末クラスが２の場合ハンドオフ処理は非許容である。
【００３５】
図１５において，交換局３が端末クラス別ハンドオフ制御を実行中に，移動端末１Ａから品質報告信号が基地局２Ａに送信され，基地局２Ａがこれに応じて交換局３に対しハンドオフ要求信号（ハンドオフ先情報と端末クラス＝１を含む）を送信する（図１５のｃ）。これを受けた交換局３は，端末クラス別ハンドオフ処理テーブル３１を参照し，当該移動端末１Ａのクラス＝１を確認してハンドオフを許容する（図１５のｄ）。これにより，ハンドオフ先の基地局２Ｂに対しハンドオフ依頼信号（ハンドオフ先情報，端末クラス＝１を含む）を基地局２Ｂに送り（図１５のｅ），基地局２Ｂはハンドオフ依頼確認信号（割当てチャネル情報を含む）を交換局３へ送る（同ｆ）。この後，ハンドオフ元の基地局２Ａにハンドオフ指示信号を送り（同ｇ），基地局２Ａは移動端末１Ａにハンドオフ指示信号を送る（同ｈ）。以下，他の実施例と同様に図１５のｉ以下のハンドオフ処理が実行される。また，移動端末１Ｂからの品質報告信号（品質情報，端末クラス＝２）が送られてきた場合，図１５のｉ〜ｌの信号動作により交換局３において，ハンドオフが非許容と判断してハンドオフ処理は実行されない。
【００３６】
図１６は実施例５の交換局における処理フローである。この処理フローは上記図１５に示す交換局３において実行され，最初に，基地局からハンドオフ要求信号（ハンドオフ先及び移動端末の端末クラスを含む）を受信すると（図１６のＳ１），端末クラス別ハンドオフ制御実施中か判別し（同Ｓ２），実施していないと後述するＳ５に移行するが，実施中の場合，端末クラス別ハンドオフ処理テーブル３１（図１５）を使用してハンドオフ許容（または許可）／非許容（または非許可）を確認し（図１６のＳ３），ハンドオフ許可端末クラスであるか判別する（同Ｓ４）。ハンドオフ許可端末クラスでない場合はハンドオフ要求拒否信号をハンドオフ要求を発生した基地局に対し送信し（図１６のＳ９），ハンドオフ許可端末クラスである場合，ハンドオフ依頼信号を基地局に対し送信し（同Ｓ５），ハンドオフ依頼確認信号を基地局から受信したか判別し（同Ｓ６），これを受信したらハンドオフ指示信号を基地局に対し送信して（同Ｓ７），処理を終了する。ハンドオフ依頼確認信号が受信されないと，次のハンドオフ先候補エリアが有るか判別し（同Ｓ８），あるとＳ５へ戻り，無い場合は上記Ｓ９に移行してハンドオフ要求拒否信号を送信する。
【００３７】
この実施例５によれば，交換局において端末クラス別のハンドオフの許容／非許容の判断を含む制御を交換局で行うので，各基地局の負担を軽減し，端末クラス別ハンドオフ処理テーブルを交換局にだけ備えればよいので管理が容易となる。
【００３８】
次に図１７，図１８は実施例６によるハンドオフの制御シーケンス（その１），（その２）である。図１７，図１８は上記図２と同じ構成において，移動端末１Ａ，１Ｂが基地局２Ａを介して通信中であるものとする。なお，移動端末１Ａ，１Ｂは上記図２や実施例１〜実施例５と同様に端末クラスはそれぞれ１，２とする。
【００３９】
この実施例６は，上記実施例５と同様に交換局３において端末クラス別ハンドオフ制御を行うが，ハンドオフ先の基地局の輻輳状態によりこの制御を実行するか，停止するか制御される。そのため，交換局３には上記実施例５（図１５）と同様に端末クラス別ハンドオフ処理テーブル３１が備えられ，この例でも端末クラスが１の場合，ハンドオフ処理が許容され，端末クラスが２の場合ハンドオフ処理は非許容である。
【００４０】
図１７において，移動端末１Ａ，１Ｂが基地局２Ａを介してそれぞれ通信中である時，基地局２Ｂから基地局輻輳通知信号が交換局３へ送信されると（図１７のａ），交換局３は基地局２Ｂが輻輳中であることを記憶する（同ｂ）。これにより，交換局３は端末クラスハンドオフ処理テーブル３１を使用した端末クラス別ハンドオフ制御を開始する（図１７のｃ）。この後，移動端末１Ａから品質報告信号（品質情報と端末クラス＝１を含む）が基地局２Ａに送信され（図１７のｄ），基地局２Ａがこれに応じて交換局３に対しハンドオフ要求信号（ハンドオフ先情報と端末クラス＝１を含む）を送信する（図１７のｅ）。これを受けた交換局３は，端末クラス別ハンドオフ処理テーブル３１を参照し，当該移動端末１Ａのクラス＝１を確認してハンドオフを許容する。この後交換局３は，上記実施例５のハンドオフ許容時と同様のハンドオフの制御動作が実行される。
【００４１】
図１８の場合，最初は交換局３が基地局２Ｂの輻輳中の状態を保持しているため，交換局３は端末クラス別ハンドオフ制御を実行中である。この状態の時移動端末１Ｂから品質報告信号（品質情報と端末クラス＝２を含む）が基地局２Ａに送信され（図１８のａ），基地局２Ａからハンドオフ要求信号が交換局３に送られても（同ｂ），交換局３は端末クラス別ハンドオフ制御を端末クラス別ハンドオフ処理テーブル３１を使用して行うため，端末クラス２である移動端末１Ｂに対するハンドオフは非許可にし（同ｃ），ハンドオフ要求拒否信号（理由を含む）を基地局２Ａに送信する（同ｄ）。
【００４２】
その後，基地局２Ｂの輻輳状態が解除されると（図１８のｅ），交換局３は端末クラス別ハンドオフ制御を終了する（同ｆ）。この後，移動端末１Ｂから品質報告信号が基地局２Ａに送られ（図１８のｇ），基地局２Ａから基地局２Ｂをハンドオフ先とするハンドオフ要求信号が交換局３へ送られると（同ｈ），交換局３は端末クラス別ハンドオフ制御が終了しているため，端末クラス＝２の移動端末１Ｂの通信を基地局２Ｂへハンドオフすることを許可し（同ｉ），ハンドオフ依頼信号を基地局２Ｂへ送り（同ｊ），ハンドオフの動作が実行される。
【００４３】
図１９は実施例６の交換局における処理フローである。この処理フローは上記図１７，図１８に示す交換局３において実行されるが，上記実施例５の交換局の処理フロー（図１６参照）と基本的な処理内容は同じである。但し，最初の基地局からのハンドオフ要求信号を受信して（図１９のＳ１）次に実行される，端末クラス別ハンドオフ制御実施中かの判別（同Ｓ２）のための，制御実施中か否かを表示する制御動作が，この図１９の処理フローでは追加されている。
【００４４】
この制御動作は，図１９の右側のフローに示されて定期的に実行される。最初に，基地局輻輳通知信号を受信したか判別し（図１９のＳ３０），受信した場合は端末クラス別ハンドオフ制御を開始する（同Ｓ３１）。この時，端末クラス別ハンドオフ制御実行中のフラグ（図示省略）をセットする構成とすることができる。基地局輻輳通知信号を受信しない場合，次に基地局輻輳状態解除を検出（受信）したか判別し（図１９のＳ３２），検出した場合は端末クラス別ハンドオフ制御を停止する（同Ｓ３３）。この時，上記フラグを備えている場合には，フラグをリセットする。
【００４５】
図１９のステップＳ２では上記，端末クラス別ハンドオフ制御が実施中か停止されているかを判別するもので，上記したフラグを使用すれば，フラグがセットされているか否か判別すれば良い。図１９のＳ３以下の処理は上記図１６と同じであり説明を省略する。
【００４６】
図２０，図２１は実施例７によるハンドオフの制御シーケンス（その１），（その２）である。図２０，図２１は上記図２と同じ構成において，移動端末１Ａ，１Ｂが基地局２Ａを介して通信中であるものとする。なお，移動端末１Ａ，１Ｂは上記図２や実施例１〜実施例６の各図と同様に端末クラスはそれぞれ１，２とする。
【００４７】
この実施例７は，上記実施例３（図９〜図１１）において基地局で行っていた，時間による端末クラス別ハンドオフ制御を，交換局において実行するようにしたものであり，交換局３に時間別端末クラスハンドオフ処理テーブル３２を備えるようにした。
【００４８】
図２０において，移動端末１Ａ，１Ｂが基地局２Ａを介してそれぞれ通信中である時，交換局３は端末クラス別ハンドオフ制御を実行中とし（図２０のａ），図の例では時間別端末クラスハンドオフ処理テーブル３２には，時間帯７：００〜２２：００は端末クラス１だけハンドオフが許容され，時間帯２２：００〜７：００は端末クラス１／クラス２の何れもハンドオフが許容されることが設定されている。
【００４９】
交換局３において現在時間が７：００になった後（図２０のｂ），品質報告信号（品質情報と端末クラス＝１を含む）が移動端末１Ａから基地局２Ａに送信され（同ｃ），基地局２Ａからハンドオフ要求信号を交換局３へ送信すると（同ｄ），交換局３は時間別端末クラスハンドオフ処理テーブル３２を参照して時間帯と端末クラス＝１によりハンドオフが許容されることが判別され，ハンドオフ依頼信号をハンドオフ先の基地局２Ｂに送信し，以後上記各実施例１〜６と同様のハンドオフのための制御動作が実行される。
【００５０】
その後，図２１において，時間が２１：００になった後（図２１のａ），移動端末１Ｂから品質報告信号（品質情報と端末クラス＝２）が基地局２Ａに送られると（同ｂ），基地局２Ａはハンドオフ要求信号を交換局３へ送信する（同ｃ）。しかし，交換局３は時間別端末クラスハンドオフ処理テーブル３２を参照して，ハンドオフの許容／非許容を判別すると，端末クラス＝２で時間が２１時と２２時の間であるため，ハンドオフが非許容となり，ハンドオフは実行されない。その後，時間が２２：００になると，その後に移動端末１Ｂからの品質報告信号の発生に基づいて基地局２Ａから発生したハンドオフ要求信号に対し，交換局３はハンドオフを許容して，ハンドオフの制御動作を開始する。
【００５１】
図２２は実施例７の交換局における処理フローである。この処理フローは上記図２０，図２１に示す交換局３において実行される。
【００５２】
基地局からのハンドオフ要求信号を受信すると（図２２のＳ１），端末クラス別ハンドオフ制御を実施中か判別し（同Ｓ２），実施中でないと後述するＳ６に移行するが，実施中であると時間情報を入手する（同Ｓ３）。続いて時間別端末クラスハンドオフ処理テーブル（図２０の３２）を使用してハンドオフ許容／非許容を確認し（図２２のＳ４），ハンドオフ許容端末クラスであるか判別する（同Ｓ５）。ハンドオフ許容端末クラスでない場合，ハンドオフ要求拒否信号を基地局に送信し（図２２のＳ１０），ハンドオフ許容端末クラスであればハンドオフ依頼信号をハンドオフを要求した基地局へ送信する（同Ｓ６）。この後，ハンドオフ依頼確認信号を受信したか判別し（図２２のＳ７），受信するとハンドオフ指示信号をハンドオフ元の基地局へ送信して（同Ｓ８），終了する。ハンドオフ依頼確認信号を受信しないと，次のハンドオフ先候補エリアがあるか判別し（図２２のＳ９），ある場合はＳ６に戻り，無い場合は上記Ｓ１０が実行されて，処理を終了する。
【００５３】
図２３，図２４は実施例８によるハンドオフの制御シーケンス（その１），（その２）である。図２３，図２４は上記図２と同じ構成において，移動端末１Ａ，１Ｂが基地局２Ａを介して通信中であるものとする。なお，移動端末１Ａ，１Ｂは上記図２や実施例１〜実施例７の各図と同様に端末クラスはそれぞれ１，２とする。
【００５４】
この実施例８は，上記実施例４（図１２〜図１４）において基地局で行っていた，ハンドオフ先のエリア別にハンドオフが許容される端末クラスが設定されたテーブルにより行っていたハンドオフの制御を交換局３において実行するようにしたものである。そのため，交換局３にハンドオフ先のエリア別にハンドオフが許容される端末クラスが設定されたエリア別端末クラスハンドオフ処理テーブル３３を設けるようにした。
【００５５】
図２３において，交換局３が備えるエリア別端末クラスハンドオフ処理テーブル３３の例では，ハンドオフ先として基地局２Ａのエリアに対しては，移動端末がクラス１，クラス２の何れであってもハンドオフが許容され，基地局２Ｂのエリアに対しては移動端末がクラス１のみハンドオフが許容されている。
【００５６】
図２３において，移動端末１Ａ，１Ｂが基地局２Ａを介してそれぞれ通信中である時，交換局３は端末クラス別ハンドオフ制御を実行中である時（図２３のａ），品質報告信号（品質情報と端末クラス＝１を含む）が移動端末１Ａから基地局２Ａに送信され（同ｂ），基地局２Ａからハンドオフ要求信号（ハンド先情報として基地局２Ｂの情報と端末クラス＝１を含む）が交換局３へ送信される（同ｃ）。交換局３はエリア別端末クラスハンドオフ処理テーブル３３を参照して，ハンドオフ先である基地局２Ｂのエリアに対し端末クラス＝１の移動端末によりハンドオフが許容されるか識別し，この場合はハンドオフが許容されることが判別され（図２３のｅ），ハンドオフ依頼信号をハンドオフ先の基地局２Ｂに送信し（同ｆ），以後上記各実施例１〜７と同様のハンドオフのための制御動作が実行される。
【００５７】
その後，図２４において，交換局３が端末クラス別ハンドオフ制御を実行している時（図２４のａ），移動端末１Ｂから基地局２Ａに対して品質報告信号が送信されると（図２４のｂ），基地局２Ａから交換局３に対しハンドオフ要求信号（ハンドオフ先として基地局２Ｂの情報と端末クラス＝２を含む）が送られる（同ｃ）。ここで，交換局３はエリア別端末クラスハンドオフ処理テーブル３３を参照すると，ハンドオフ先候補エリアである基地局２Ｂへのハンドオフはクラス１の端末しか許容されないので，ハンドオフが非許容であることが分かり（図２４のｄ），ハンドオフ要求拒否信号を基地局２Ａに送信する（同ｅ）。
【００５８】
図２５は実施例８の交換局における処理フローである。この処理フローは上記図２３，図２４に示す交換局３において実行される。
【００５９】
基地局からのハンドオフ要求信号を受信すると（図２５のＳ１），端末クラス別ハンドオフ制御を実施中か判別し（同Ｓ２），実施中でないと後述するＳ６に移行するが，実施中であるとハンドオフ先エリア情報をハンドオフ要求信号から入手する（同Ｓ３）。次に入手したハンドオフ先のエリアについて，エリア別端末クラスハンドオフ処理テーブル（図２３，図２４の３３）を使用して，対象となる移動端末のクラスによりハンドオフの許容／非許容を確認して（図２５のＳ４），ハンドオフが許可されるエリアがあるか判別する（同Ｓ５）。ハンドオフが許可されるエリアが無い場合はステップＳ１０に移行してハンドオフ要求拒否信号を送信して処理を終了するが，ハンドオフが許容されるエリアが有る場合は，ハンドオフ許可エリアに対してのみハンドオフ依頼信号を送出する（図２５のＳ６）。この後，ハンドオフ依頼確認信号を受信したか判別し（図２５のＳ７），受信した場合はハンドオフ先の基地局に対しハンドオフ指示信号を送信し（同Ｓ８），受信しない場合は，次のハンドオフ先候補エリアがあるか判別し（同Ｓ９），有る場合は上記Ｓ６に戻るが，次のハンドオフ先候補エリアが無い場合は上記Ｓ１０の処理を実行する。
【００６０】
図２６は実施例９によるハンドオフの制御シーケンスである。図２６は上記図２と同じ構成において，移動端末１Ａ，１Ｂが基地局２Ａを介して通信中であるものとする。なお，移動端末１Ａ，１Ｂは上記図２や実施例１〜実施例８の各図と同様に端末クラスはそれぞれ１，２とする。
【００６１】
この実施例９は，上記実施例１（図２，図３）においてハンドオフ元の基地局で行っていたハンドオフの制御を，ハンドオフ先の基地局において実行するようにしたものである。そのため，ハンドオフ先の基地局にハンドオフが許容される端末クラスが設定された端末クラス別ハンドオフ処理テーブル２３をハンドオフ先となる各基地局に設ける。図２６の例では，端末クラスがクラス１の場合ハンドオフが許容され，端末クラスがクラス２の場合ハンドオフが非許容に設定されている。
【００６２】
基地局２Ｂが内蔵する端末クラス別ハンドオフ処理テーブル２３を使用して端末クラス別ハンドオフ制御を実行している時（図２６のａ），移動端末１Ａが品質報告信号（品質情報と端末クラス＝１を含む）を基地局２Ａに送信すると（同ｂ），基地局２Ａはハンドオフが必要と判断し，ハンドオフ先として基地局２Ｂの情報と端末クラス＝１を含むハンドオフ要求信号を交換局３へ送信する（同ｃ）。交換局３はこれを受けると，ハンドオフ先の基地局２Ｂにハンドオフ依頼信号（ハンドオフ先情報と端末クラス＝１を含む）を送信する（図２６のｄ）。基地局２Ｂはこれを受け取ると，上記端末クラス別ハンドオフ処理テーブル２３を参照して，端末クラス１によるハンドオフを許可するか判別し，この端末クラス別ハンドオフ処理テーブル２３の例ではハンドオフが許可されると判別され（図２６のｅ），ハンドオフ依頼確認信号（割当チャネル情報を含む）を交換局３へ送信する（同ｆ）。交換局３はこれを受信すると，ハンドオフ元の基地局２Ａに対しハンドオフ指示信号（割当てチャネル情報を含む）を送信し（図２６のｇ），ハンドオフが実行される。
【００６３】
その後，移動端末１Ｂから品質報告信号（品質情報と端末クラス＝２を含む）を基地局２Ａへ送信する動作が行われ（図２６のｈ），基地局２Ａからハンドオフ要求信号（ハンドオフ先として基地局２Ｂを指定する情報と端末クラス＝２）が交換局３へ送信されると（同ｉ），交換局３からハンドオフ先の基地局２Ｂにハンドオフ依頼信号が送られる（同ｊ）。この時，ハンドオフ先の基地局２Ｂは，端末クラス別ハンドオフ処理テーブル２３を参照すると，端末クラスが２であるためハンドオフが非許可であることが分かり（同ｋ），ハンドオフ依頼拒否信号（理由を含む）を交換局３へ送信する（同ｌ）。これを受けた交換局３は，ハンドオフ元の基地局２Ａにハンドオフ要求拒否信号（理由を含む）を送信する（図２６のｍ）。
【００６４】
図２７は実施例９のハンドオフ先の基地局における処理フローである。この処理フローは上記図２６に示す基地局２Ｂにおいて実行される。
【００６５】
交換局からのハンドオフ要求依頼信号を受信すると（図２７のＳ１），端末クラス別ハンドオフ制御を実施中か判別し（同Ｓ２），実施中でないと後述するＳ５に移行するが，実施中であると端末クラス別ハンドオフ処理テーブル（図２６の２３）を使用して対象となる移動端末のクラスによるハンドオフの許容／非許容を確認して（図２７のＳ３），ハンドオフが許可される端末クラスか判別する（同Ｓ４）。ハンドオフが許容される端末クラスであれば，ハンドオフ依頼確認信号を交換局３へ送信し（図２７のＳ５），許容されない端末クラスであればハンドオフ依頼拒否信号を交換局へ送信する（同Ｓ６）。
【００６６】
上記図２６，図２７に説明した実施例９では，ハンドオフ先の基地局２Ｂに設けた端末クラス別ハンドオフ処理テーブル２３に設定された，端末クラスに対応してハンドオフの許容／非許容を確認して，ハンドオフの実行または拒否の判別を行っているが，このようなテーブルではなく，ハンドオフ先のエリア毎（ハンドオフ先の基地局毎）にハンドオフを許容する端末クラス（ハンドオフ許可クラス）の情報を保持するように構成することができる。その場合，ハンドオフ先となる基地局では交換局３からのハンドオフ依頼信号を受け取ると，ハンドオフ許可クラスに該当するか否かを判別し，該当するとハンドオフを許容し，該当しないとハンドオフを拒否するように制御する。
【００６７】
図２８，図２９は実施例１０によるハンドオフの制御シーケンス（その１），（その２）である。図２８，図２９は上記図２と同じ構成において，移動端末１Ａ，１Ｂが基地局２Ａを介して通信中であるものとする。なお，移動端末１Ａ，１Ｂは上記図２や実施例１〜実施例９の各図と同様に端末クラスはそれぞれ１，２とする。
【００６８】
この実施例１０は，上記実施例３（図９〜図１１）においてハンドオフ元の基地局において実行していた時間別の端末クラス別ハンドオフ制御を，ハンドオフ先の基地局において実行するようにしたものである。そのため，ハンドオフ制御を許容する端末クラスが設定された時間別端末クラスハンドオフ処理テーブル２４をハンドオフ先となる基地局に設ける。
【００６９】
図２８，図２９の制御シーケンスでは，基地局２Ｂがハンドオフ先として機能し，そこに設けられた時間別端末クラスハンドオフ処理テーブル２４の例では，時間７：００〜２２：００ではクラス１の移動端末が許容され，時間２２：００〜７：００ではクラス１／クラス２の何れもハンドオフが許容される。
【００７０】
図２８において，基地局２Ｂが端末クラス別ハンドオフ制御を実行しており（図２８のａ），時間が７：００になって（同ｂ），その後品質報告信号（品質情報と端末クラス＝１を含む）が移動端末１Ａから基地局２Ａに送信されると（同ｃ），ハンドオフ要求信号（ハンドオフ先情報として基地局２Ｂを指定し，端末クラス＝１を含む）が交換局３へ送信される（同ｄ）。交換局３はこれを受けるとハンドオフ先の基地局２Ｂにハンドオフ依頼信号（ハンドオフ先情報と端末クラス＝１）を送信する（図２８のｅ）。これを受けた基地局２Ｂは，端末クラスを確認して，時間別端末クラスハンドオフ処理テーブル２４を参照してハンドオフが許容されるか判別する。この例では，端末クラス＝１であり，時間が７：００〜２２：００の範囲内であるからハンドオフが許容され（図２８のｆ），ハンドオフ依頼確認信号（割当てチャネル情報を含む）を交換局３へ送信し（同ｇ），以後交換局３を介してハンドオフが実行される。
【００７１】
図２９の場合，時間が２１：００になった後，通信中の移動端末１Ｂから品質報告信号（品質情報と端末クラス＝２）が基地局２Ａに送られ（同ａ），基地局２Ａからハンドオフ要求信号（ハンドオフ先情報と端末クラス＝２を含む）が交換局３へ送られる（同ｂ）。交換局３がこれを受け取ってハンドオフ依頼信号をハンドオフ先の基地局２Ｂへ送ると（図２９のｃ），基地局２Ｂは図２８に示す時間別端末クラスハンドオフ処理テーブル２４を参照する。この時端末クラス＝２であるからハンドオフ非許容であることが分かり，ハンドオフ依頼拒否信号が基地局２Ｂから交換局３へ送られ（図２９のｄ），ハンドオフは実行されない。
【００７２】
続いて時間が２２：００になり（図２９のｆ），その後移動端末１Ｂが品質報告信号（品質情報と端末クラス＝２を含む）を基地局２Ａに送信すると（同ｇ），基地局２Ａはハンドオフ要求信号を交換局３へ送信する（同ｈ）。交換局３はハンドオフ依頼信号がハンドオフ先の基地局２Ｂへ送られる。基地局２Ｂでは上記時間別端末クラスハンドオフ処理テーブル２４を参照すると，この時は時間帯２２：００〜７：００の範囲であるから，端末クラス＝２はハンドオフが許容され，ハンドオフ依頼確認信号が交換局３へ送信され（図２９のｊ），以後ハンドオフの制御が実行される。
【００７３】
図３０は実施例１０のハンドオフ先の基地局における処理フローである。この処理フローは上記図２８，図２９に示す基地局２Ｂにおいて実行される。
【００７４】
交換局からのハンドオフ要求依頼信号を受信すると（図３０のＳ１），端末クラス別ハンドオフ制御を実施中か判別し（同Ｓ２），実施中でないと後述するＳ６に移行するが，実施中であると時間情報を入手し（図３０のＳ３），時間別端末クラスハンドオフ処理テーブル２４を使用してハンドオフ許容／非許容を確認し（同Ｓ４），ハンドオフが許可される端末クラスか判別する（同Ｓ５）。ハンドオフが許容される端末クラスであれば，ハンドオフ依頼確認信号を交換局３へ送信し（図３０のＳ６），許容されない端末クラスであればハンドオフ依頼拒否信号を交換局へ送信する（同Ｓ７）。
【００７５】
【発明の効果】
本発明によれば移動通信システムにおいて，通信中に実施されるハンドオフを端末クラスで制御することにより，ハンドオフのトラフィック制御を端末クラスという細かいレベルで制御可能とすることにより，輻輳状態における規制制御のレベル分けが容易に可能となる。
【００７６】
また，端末クラスと通話許容エリアを関連付けることにより，あるエリアに対しては積極的にハンドオフを実施させないという制御が可能となる移動通信におけるエリア規制制御が容易となり，移動通信におけるエリア規制制御の拡張性を図ることができる。
【００７７】
更に，時間帯によりハンドオフを可能とするクラスを指定することにより，時間によるトラフィック制御を端末クラスにより制御可能となる。
【００７８】
また，端末クラスによるハンドオフ制御をハンドオフ元や，交換局またはハンドオフ先の何れかにより実行することができ，選択の幅を広げることができる。
【図面の簡単な説明】
【図１】本発明の原理構成を示す図である。
【図２】本発明が実施されるシステムの構成例を示す図である。
【図３】図２においてハンドオフが実行された場合の構成を示す図である。
【図４】実施例１によるハンドオフの制御シーケンスを示す図である。
【図５】実施例１の基地局における処理フローを示す図である。
【図６】実施例２によるハンドオフの制御シーケンス（その１）を示す図である。
【図７】実施例２によるハンドオフの制御シーケンス（その２）を示す図である。
【図８】実施例２の基地局における処理フローを示す図である。
【図９】実施例３によるハンドオフの制御シーケンス（その１）を示す図である。
【図１０】実施例３によるハンドオフの制御シーケンス（その２）を示す図である。
【図１１】実施例３の基地局における処理フローを示す図である。
【図１２】実施例４によるハンドオフの制御シーケンス（その１）を示す図である。
【図１３】実施例４によるハンドオフの制御シーケンス（その２）を示す図である。
【図１４】実施例４の基地局における処理フローを示す図である。
【図１５】実施例５によるハンドオフの制御シーケンスを示す図である。
【図１６】実施例５の交換局における処理フローを示す図である。
【図１７】実施例６によるハンドオフの制御シーケンス（その１）を示す図である。
【図１８】実施例６によるハンドオフの制御シーケンス（その２）を示す図である。
【図１９】実施例６の交換局における処理フローを示す図である。
【図２０】実施例７によるハンドオフの制御シーケンス（その１）を示す図である。
【図２１】実施例７によるハンドオフの制御シーケンス（その２）を示す図である。
【図２２】実施例７の交換局における処理フローを示す図である。
【図２３】実施例８によるハンドオフの制御シーケンス（その１）を示す図である。
【図２４】実施例８によるハンドオフの制御シーケンス（その２）を示す図である。
【図２５】実施例８の交換局における処理フローを示す図である。
【図２６】実施例９によるハンドオフの制御シーケンスを示す図である。
【図２７】実施例９のハンドオフ先の基地局における処理フローを示す図である。
【図２８】実施例１０によるハンドオフの制御シーケンス（その１）を示す図である。
【図２９】実施例１０によるハンドオフの制御シーケンス（その２）を示す図である。
【図３０】実施例１０のハンドオフ先の基地局における処理フローを示す図である。
【符号の説明】
１        移動端末
１０      通話品質・端末クラス報知手段
２ａ，２ｂ  基地局装置
２０      端末クラス別ハンドオフ制御部
２１      ハンドオフ許否判別手段
２２      交換局通知手段
２３      端末クラス別ハンドオフ処理テーブル
３        交換局
３０      制御部
【図１】
0004015312.tif 000002
【図２】
0004015312.tif 000003
【図３】
0004015312.tif 000004
【図４】
0004015312.tif 000005
【図５】
0004015312.tif 000006
【図６】
0004015312.tif 000007
【図７】
0004015312.tif 000008
【図８】
0004015312.tif 000009
【図９】
0004015312.tif 000010
【図１０】
0004015312.tif 000011
【図１１】
0004015312.tif 000012
【図１２】
0004015312.tif 000013
【図１３】
0004015312.tif 000014
【図１４】
0004015312.tif 000015
【図１５】
0004015312.tif 000016
【図１６】
0004015312.tif 000017
【図１７】
0004015312.tif 000018
【図１８】
0004015312.tif 000019
【図１９】
0004015312.tif 000020
【図２０】
0004015312.tif 000021
【図２１】
0004015312.tif 000022
【図２２】
0004015312.tif 000023
【図２３】
0004015312.tif 000024
【図２４】
0004015312.tif 000025
【図２５】
0004015312.tif 000026
【図２６】
0004015312.tif 000027
【図２７】
0004015312.tif 000028
【図２８】
0004015312.tif 000029
【図２９】
0004015312.tif 000030
【図３０】
0004015312.tif 000031